(57)【特許請求の範囲】
【請求項１】
移動通信システムにおけるＣＤＭＡ無線基地局装置の二重化方式において、
前記ＣＤＭＡ無線基地局装置は、０系拡散処理部と１系拡散処理部とを有して二重化に構成され、
前記０系拡散処理部と前記１系拡散処理部の各々は、
ベースバンド信号をスペクトル拡散し現用系拡散信号を生成するとともに、ベースバンド信号をスペクトル拡散し予備系拡散信号を生成する二重化拡散手段と、前記ＣＤＭＡ無線基地局装置を特定するための止まり木チャネルを生成する止まり木チャネル生成手段とを有し、
前記０系拡散処理部からの止まり木チャネルと前記１系拡散処理部からの止まり木チャネルとのうちからいずれかを切替選択する止まり木チャネル切替選択手段と、
前記０系拡散処理部からの現用系拡散信号と予備系拡散信号と、前記１系拡散処理部からの現用系拡散信号と予備系拡散信号とのうちから、いずれかの現用系拡散信号と予備系拡散信号とを切替選択する拡散信号切替選択手段と、
止まり木チャネル切替選択手段により切替選択された止まり木チャネルと、拡散信号切替選択手段により切替選択された現用系拡散信号と予備系拡散信号との送信を制御する送信制御手段と、
を有することを特徴とするＣＤＭＡ無線基地局装置の二重化方式。
【請求項２】
前記０系拡散処理部と前記１系拡散処理部の各々が、正常に動作しているとき、
前記止まり木チャネル切替選択手段は、前記０系（１系）拡散処理部からの止まり木チャネルを選択し、
前記拡散信号切替選択手段は、前記０系（１系）拡散処理部からの現用系拡散信号を選択し、前記１系（０系）拡散処理部からの現用系拡散信号を選択し、
前記送信制御手段は、前記０系（１系）拡散処理部からの止まり木チャネルと前記０系（１系）拡散処理部からの現用系拡散信号と前記１系（０系）拡散処理部からの現用系拡散信号とを送信することを特徴とする請求項１記載のＣＤＭＡ無線基地局装置の二重化方式。
【請求項３】
正常に動作している前記０系拡散処理部と前記１系拡散処理部とのうち前記０系（１系）拡散処理部が障害するとき、
前記止まり木チャネル切替選択手段は、前記１系（０系）拡散処理部からの止まり木チャネルを選択し、
前記拡散信号切替選択手段は、前記１系（０系）拡散処理部からの現用系拡散信号と予備系拡散信号とを選択し、
前記送信制御手段は、障害した前記０系（１系）拡散処理部からの全ての信号の出力を止めるとともに、前記拡散信号切替選択手段により切替選択された、前記１系（０系）拡散処理部からの止まり木チャネルと現用系拡散信号と予備系拡散信号とを送信することを特徴とする請求項１あるいは２記載のＣＤＭＡ無線基地局装置の二重化方式。
【請求項４】
前記送信制御手段は、障害した前記０系（１系）拡散処理部からの全ての信号の出力を止めると同時に、前記拡散信号切替選択手段により切替選択された、前記１系（０系）拡散処理部からの止まり木チャネルと現用系拡散信号と予備系拡散信号とを送信する同時切替送信制御手段を有することを特徴とする請求項１あるいは２記載のＣＤＭＡ無線基地局装置の二重化方式。
【請求項５】
移動通信システムのＣＤＭＡ無線基地局装置において、
前記ＣＤＭＡ無線基地局装置は、
０系拡散処理部と１系拡散処理部とを有して二重化に構成される拡散処理部と、前記０系拡散処理部と前記１系拡散処理部からの信号を無線信号に変換しアンテナへ送信する無線送信処理部とを有し、
前記拡散処理部の前記０系拡散処理部と前記１系拡散処理部との各々は、
各々の全体を制御する主制御部と、
ベースバンド信号をスペクトル拡散し現用系拡散信号を生成し送出する現用系拡散部とベースバンド信号をスペクトル拡散し予備系拡散信号を生成し送出する予備系拡散部とを有して二重化に構成される拡散部と、
前記ＣＤＭＡ無線基地局装置を特定するための止まり木チャネルを生成し送出する止まり木チャネル生成部と、
前記止まり木チャネル生成部からの止まり木チャネルと前記現用系拡散部からの現用系拡散信号とを加算し、加算された止まり木チャネルと現用系拡散信号を送出する第１加算合成部と、
前記止まり木チャネル生成部からの止まり木チャネルと前記予備系拡散部からの予備系拡散信号とを加算し、加算された止まり木チャネルと予備系拡散信号を送出する第２加算合成部と、
前記止まり木チャネル生成部からの止まり木チャネルを、前記第１加算合成部と前記第２加算合成部とのうちのいずれかに送出する止まり木チャネル出力選択切替部と、
前記第１加算合成部からの、加算された止まり木チャネルと現用系拡散信号の、出力と出力停止とを行う第１出力選択部と、
前記第２加算合成部からの、加算された止まり木チャネルと予備系拡散信号の、出力と出力停止とを行う第２出力選択部と、
前記第１出力選択部と前記第２出力選択部の出力と出力停止を制御する出力制御部と、
前記出力制御部により制御された前記第１出力選択部と前記第２出力選択部から出力された、止まり木チャネルと現用系拡散信号と予備系拡散信号とを加算して出力する第３加算合成部と、
前記拡散処理部の障害を検出し、障害情報を前記主制御部に通知し、切替制御情報を前記主制御部と前記第１出力選択部と前記第２出力選択部とに通知する警報検出通知部とを有し、
前記無線送信処理部は、前記０系拡散処理部の第３加算合成部と前記１系拡散処理部の第３加算合成部とからの、止まり木チャネルと現用系拡散信号と予備系拡散信号とを無線信号に変換しアンテナへ送信することを特徴とするＣＤＭＡ無線基地局装置。
【請求項６】
前記０系拡散処理部と前記１系拡散処理部とが正常に動作し、前記０系拡散処理部と前記１系拡散処理部の内のいずれの前記警報検出通知部も、障害を検出しないとき、
前記０系（1系）拡散処理部において、前記主制御部は、止まり木チャネルを前記第１加算合成部のみへ送出するよう止まり木チャネル出力選択切替部を制御し、前記出力制御部は、前記第１出力選択部を出力できるよう制御し、前記第２出力選択部を出力停止するよう制御し、
前記第１加算合成部は、前記止まり木チャネル生成部からの止まり木チャネルと前記現用系拡散部からの現用系拡散信号とを加算し、加算された止まり木チャネルと現用系拡散信号を前記第１出力選択部へ送出し、
前記第１出力選択部は、受信した止まり木チャネルと現用系拡散信号とを前記第３加算合成部へ送出し、
前記第２加算合成部は、前記予備系拡散部からの予備系拡散信号のみを受信して、この予備系拡散信号を前記第２出力選択部へ送出し、
前記第２出力選択部は、受信した予備系拡散信号を、前記第３加算合成部へ送出するのを停止し、
前記第３加算合成部は、前記第１出力選択部からの、止まり木チャネルと現用系拡散信号とのみを前記無線送信処理部へ送出し、
前記１系（０系）拡散処理部において、前記主制御部は、止まり木チャネルを前記第２加算合成部のみへ送出するよう止まり木チャネル出力選択切替部を制御し、前記出力制御部は、前記第１出力選択部を出力できるよう制御し、前記第２出力選択部を出力停止するよう制御し、
前記第１加算合成部は、前記現用系拡散部からの現用系拡散信号のみを受信し、この現用系拡散信号を前記前記第１出力選択部へ送出し、
前記第１出力選択部は、受信した現用系拡散信号を前記第３加算合成部へ送出し、
前記第２加算合成部は、前記止まり木チャネル生成部からの止まり木チャネルと前記予備系拡散部からの予備系拡散信号とを加算し、加算された止まり木チャネルと予備系拡散信号を前記第２出力選択部へ送出し、
前記第２出力選択部は、受信した止まり木チャネルと予備系拡散信号を前記第３加算合成部へ送出するのを停止し、
前記第３加算合成部は、前記第１出力選択部からの現用系拡散信号のみを前記無線送信処理部へ送出し、
前記無線送信処理部は、前記０系（１系）拡散処理部の第３加算合成部からの止まり木チャネルと現用系拡散信号と、前記１系（０系）拡散処理部の第３加算合成部とからの現用系拡散信号とを無線信号に変換しアンテナへ送信することを特徴とする請求項５記載のＣＤＭＡ無線基地局装置。
【請求項７】
正常に動作していた前記０系拡散処理部と前記１系拡散処理部とのうちの、前記０系（１系）拡散処理部の前記警報検出通知部は、前記０系（１系）拡散処理部の障害を検出すると、切替制御信号を、前記０系拡散処理部と前記１系拡散処理部の前記出力制御部へ送り、
前記０系（１系）拡散処理部の前記出力制御部は、前記警報検出通知部から切替制御信号を受信すると、前記０系（１系）拡散処理部の前記第１出力選択部の出力を停止するよう制御し、
前記０系（１系）拡散処理部の前記第１出力選択部は、出力を停止し、
前記０系（１系）拡散処理部は、前記無線送信処理部へ全ての信号を送出するのを停止し、
前記１系（０系）拡散処理部の前記出力制御部は、前記警報検出通知部から切替制御信号を受信すると、前記１系（０系）拡散処理部の前記第２出力選択部の出力を許可するよう制御し、
前記１系（０系）拡散処理部の前記第２出力選択部は、前記出力制御部の制御により、前記１系（０系）拡散処理部の前記第２加算合成部からの、止まり木チャネルと予備系拡散信号とを、前記１系（０系）拡散処理部の前記第３加算合成部へ送出し、
前記１系（０系）拡散処理部の前記第３加算合成部は、既に入力され続けている、前記第１加算合成部からの現用系拡散信号と、前記第２加算合成部からの止まり木チャネルと予備系拡散信号とを加算し、加算された止まり木チャネルと現用系拡散信号と予備系拡散信号を前記無線送信処理部へ送出し、
前記無線送信処理部は、前記１系（０系）拡散処理部からの止まり木チャネルと現用系拡散信号と予備系拡散信号を無線信号に変換しアンテナへ送信することを特徴とする請求項５あるいは６記載のＣＤＭＡ無線基地局装置。
【請求項８】
正常に動作していた前記０系拡散処理部と前記１系拡散処理部とのうちの、前記０系（１系）拡散処理部の前記警報検出通知部は、障害を検出すると、障害情報を、前記０系拡散処理部と前記１系拡散処理部の各々の主制御部に送り、
前記０系（１系）拡散処理部の主制御部は、障害情報を受けると、前記０系（１系）拡散処理部の前記第１出力選択部の出力を停止する第１タイミングを有する第１タイミング付切替制御信号を生成し、この第１タイミング付切替制御信号を前記０系（１系）拡散処理部の前記出力制御部へ送り、
前記１系（０系）拡散処理部の主制御部は、障害情報を受けると、前記１系（０系）拡散処理部の前記第２出力選択部の出力を許可する第２タイミングを有する第２タイミング付切替制御信号を生成し、この第２タイミング付切替制御信号を前記１系（０系）拡散処理部の前記出力制御部へ送り、
前記０系（１系）拡散処理部の前記出力制御部は、前記主制御部から第１タイミング付切替制御信号を受信すると、前記０系（１系）拡散処理部の前記第１出力選択部の出力を、第１タイミングで停止するよう制御し、
前記０系（１系）拡散処理部の前記第１出力選択部は、第１タイミングで出力を停止し、
前記０系（１系）拡散処理部は、前記無線送信処理部へ全ての信号を第１タイミングで送出するのを停止し、
前記１系（０系）拡散処理部の前記出力制御部は、前記主制御部から第２タイミング付切替制御信号を受信すると、前記１系（０系）拡散処理部の前記第２出力選択部の出力を第２タイミングで許可するよう制御し、
前記１系（０系）拡散処理部の前記第２出力選択部は、前記出力制御部の制御により、前記１系（０系）拡散処理部の前記第２加算合成部からの、止まり木チャネルと予備系拡散信号とを、第２タイミングで前記１系（０系）拡散処理部の前記第３加算合成部へ送出し、
前記１系（０系）拡散処理部の前記第３加算合成部は、既に入力され続けている、前記第１加算合成部からの現用系拡散信号と、前記第２加算合成部からの止まり木チャネルと予備系拡散信号とを加算し、加算された止まり木チャネルと現用系拡散信号と予備系拡散信号を前記無線送信処理部へ送出し、
前記無線送信処理部は、前記１系（０系）拡散処理部からの止まり木チャネルと現用系拡散信号と予備系拡散信号を無線信号に変換しアンテナへ送信することを特徴とする請求項５あるいは６記載のＣＤＭＡ無線基地局装置。
【請求項９】
前記主制御部は、前記０系（１系）拡散処理部からの前記無線送信処理部への入力が断する断時刻と、前記１系（０系）拡散処理部からの止まり木チャネルと現用系拡散信号と予備系拡散信号とが前記無線送信処理部への入力が開始する開始時刻とが一致するよう、前記第１タイミング付切替制御信号の第１タイミングと前記第２タイミング付切替制御信号の第２タイミングとを設定することを特徴とする請求項８記載のＣＤＭＡ無線基地局装置。
【発明の詳細な説明】
【０００１】
【発明の属する技術分野】
本発明は、ＣＤＭＡ無線基地局装置に関し、特に、ＣＤＭＡ無線基地局装置の二重化に関する。
【０００２】
【従来の技術】
ＣＤＭＡ無線基地局装置は、障害が発生した場合、呼の切断が発生しないよう速やかに装置を復旧する必要が生じるため、装置の二重化が図られている。このため、ＣＤＭＡ無線基地局装置の送信装置において、スペクトラム拡散処理を行う拡散処理部は、現用系拡散処理部と予備系拡散処理部とで二重化に構成されている。従来においては、二重化された拡散信号が、これらの現用系拡散処理部と予備系拡散処理部により生成されるが、止まり木チャネル信号は、どちらかの拡散処理部のみで生成されている。
【０００３】
送信装置のソフトウェアは、障害対策のため、どちらの拡散処理部が止まり木チャネル信号を生成しているかを、常に監視する必要がある。
【０００４】
止まり木チャネル信号を生成している拡散処理部に障害が発生すると、送信装置のソフトウェアは、障害の拡散処理部が生成していた止まり木チャネル信号と同一の止まり木チャネル信号を、新たに、障害が発生していない拡散処理部で生成するよう制御する。これにより、送信装置は障害から復旧する。
【０００５】
【発明が解決しようとする課題】
このように、従来の送信装置では、ソフトウェアが、止まり木チャネル信号の生成を常に監視し、障害時に、止まり木チャネル信号を、新たに生成し、障害から復旧するよう制御しているので、復旧のために必要な時間が長いという課題を有する。
【０００６】
本発明の目的は、従来のこの様な課題を解決し、障害発生からの復旧までの切替を、ソフトウェアを必要とせずハードウェアで瞬時に行える技術を提供することにある。
【０００７】
【課題を解決するための手段】
本発明のＣＤＭＡ無線基地局装置の二重化方式は、移動通信システムにおけるＣＤＭＡ無線基地局装置の二重化方式において、
前記ＣＤＭＡ無線基地局装置は、０系拡散処理部と１系拡散処理部とを有して二重化に構成され、
前記０系拡散処理部と前記１系拡散処理部の各々は、
ベースバンド信号をスペクトル拡散し現用系拡散信号を生成するとともに、ベースバンド信号をスペクトル拡散し予備系拡散信号を生成する二重化拡散手段と、前記ＣＤＭＡ無線基地局装置を特定するための止まり木チャネルを生成する止まり木チャネル生成手段とを有し、
前記０系拡散処理部からの止まり木チャネルと前記１系拡散処理部からの止まり木チャネルとのうちからいずれかを切替選択する止まり木チャネル切替選択手段と、
前記０系拡散処理部からの現用系拡散信号と予備系拡散信号と、前記１系拡散処理部からの現用系拡散信号と予備系拡散信号とのうちから、いずれかの現用系拡散信号と予備系拡散信号とを切替選択する拡散信号切替選択手段と、
止まり木チャネル切替選択手段により切替選択された止まり木チャネルと、拡散信号切替選択手段により切替選択された現用系拡散信号と予備系拡散信号との送信を制御する送信制御手段と、
を有することを特徴とする。
【０００８】
また、本発明のＣＤＭＡ無線基地局装置の二重化方式は、前記０系拡散処理部と前記１系拡散処理部の各々が、正常に動作しているとき、
前記止まり木チャネル切替選択手段は、前記０系（１系）拡散処理部からの止まり木チャネルを選択し、
前記拡散信号切替選択手段は、前記０系（１系）拡散処理部からの現用系拡散信号を選択し、前記１系（０系）拡散処理部からの現用系拡散信号を選択し、
前記送信制御手段は、前記０系（１系）拡散処理部からの止まり木チャネルと前記０系（１系）拡散処理部からの現用系拡散信号と前記１系（０系）拡散処理部からの現用系拡散信号とを送信することを特徴とする。
【０００９】
さらに、本発明のＣＤＭＡ無線基地局装置の二重化方式は、正常に動作している前記０系拡散処理部と前記１系拡散処理部とのうち前記０系（１系）拡散処理部が障害するとき、
前記止まり木チャネル切替選択手段は、前記１系（０系）拡散処理部からの止まり木チャネルを選択し、
前記拡散信号切替選択手段は、前記１系（０系）拡散処理部からの現用系拡散信号と予備系拡散信号とを選択し、
前記送信制御手段は、障害した前記０系（１系）拡散処理部からの全ての信号の出力を止めるとともに、前記拡散信号切替選択手段により切替選択された、前記１系（０系）拡散処理部からの止まり木チャネルと現用系拡散信号と予備系拡散信号とを送信することを特徴とする。
【００１０】
また、本発明のＣＤＭＡ無線基地局装置の二重化方式は、前記送信制御手段は、障害した前記０系（１系）拡散処理部からの全ての信号の出力を止めると同時に、前記拡散信号切替選択手段により切替選択された、前記１系（０系）拡散処理部からの止まり木チャネルと現用系拡散信号と予備系拡散信号とを送信する同時切替送信制御手段を有することを特徴とする。
【００１１】
さらに、本発明のＣＤＭＡ無線基地局装置は、移動通信システムのＣＤＭＡ無線基地局装置において、
前記ＣＤＭＡ無線基地局装置は、
０系拡散処理部と１系拡散処理部とを有して二重化に構成される拡散処理部と、前記０系拡散処理部と前記１系拡散処理部からの信号を無線信号に変換しアンテナへ送信する無線送信処理部とを有し、
前記拡散処理部の前記０系拡散処理部と前記１系拡散処理部との各々は、
各々の全体を制御する主制御部と、
ベースバンド信号をスペクトル拡散し現用系拡散信号を生成し送出する現用系拡散部とベースバンド信号をスペクトル拡散し予備系拡散信号を生成し送出する予備系拡散部とを有して二重化に構成される拡散部と、
前記ＣＤＭＡ無線基地局装置を特定するための止まり木チャネルを生成し送出する止まり木チャネル生成部と、
前記止まり木チャネル生成部からの止まり木チャネルと前記現用系拡散部からの現用系拡散信号とを加算し、加算された止まり木チャネルと現用系拡散信号を送出する第１加算合成部と、
前記止まり木チャネル生成部からの止まり木チャネルと前記予備系拡散部からの予備系拡散信号とを加算し、加算された止まり木チャネルと予備系拡散信号を送出する第２加算合成部と、
前記止まり木チャネル生成部からの止まり木チャネルを、前記第１加算合成部と前記第２加算合成部とのうちのいずれかに送出する止まり木チャネル出力選択切替部と、
前記第１加算合成部からの、加算された止まり木チャネルと現用系拡散信号の、出力と出力停止とを行う第１出力選択部と、
前記第２加算合成部からの、加算された止まり木チャネルと予備系拡散信号の、出力と出力停止とを行う第２出力選択部と、
前記第１出力選択部と前記第２出力選択部の出力と出力停止を制御する出力制御部と、
前記出力制御部により制御された前記第１出力選択部と前記第２出力選択部から出力された、止まり木チャネルと現用系拡散信号と予備系拡散信号とを加算して出力する第３加算合成部と、
前記拡散処理部の障害を検出し、障害情報を前記主制御部に通知し、切替制御情報を前記主制御部と前記第１出力選択部と前記第２出力選択部とに通知する警報検出通知部とを有し、
前記無線送信処理部は、前記０系拡散処理部の第３加算合成部と前記１系拡散処理部の第３加算合成部とからの、止まり木チャネルと現用系拡散信号と予備系拡散信号とを無線信号に変換しアンテナへ送信することを特徴とする。
【００１２】
また、本発明のＣＤＭＡ無線基地局装置は、前記０系拡散処理部と前記１系拡散処理部とが正常に動作し、前記０系拡散処理部と前記１系拡散処理部の内のいずれの前記警報検出通知部も、障害を検出しないとき、
前記０系（1系）拡散処理部において、前記主制御部は、止まり木チャネルを前記第１加算合成部のみへ送出するよう止まり木チャネル出力選択切替部を制御し、前記出力制御部は、前記第１出力選択部を出力できるよう制御し、前記第２出力選択部を出力停止するよう制御し、
前記第１加算合成部は、前記止まり木チャネル生成部からの止まり木チャネルと前記現用系拡散部からの現用系拡散信号とを加算し、加算された止まり木チャネルと現用系拡散信号を前記第１出力選択部へ送出し、
前記第１出力選択部は、受信した止まり木チャネルと現用系拡散信号とを前記第３加算合成部へ送出し、
前記第２加算合成部は、前記予備系拡散部からの予備系拡散信号のみを受信して、この予備系拡散信号を前記第２出力選択部へ送出し、
前記第２出力選択部は、受信した予備系拡散信号を、前記第３加算合成部へ送出するのを停止し、
前記第３加算合成部は、前記第１出力選択部からの、止まり木チャネルと現用系拡散信号とのみを前記無線送信処理部へ送出し、
前記１系（０系）拡散処理部において、前記主制御部は、止まり木チャネルを前記第２加算合成部のみへ送出するよう止まり木チャネル出力選択切替部を制御し、前記出力制御部は、前記第１出力選択部を出力できるよう制御し、前記第２出力選択部を出力停止するよう制御し、
前記第１加算合成部は、前記現用系拡散部からの現用系拡散信号のみを受信し、この現用系拡散信号を前記前記第１出力選択部へ送出し、
前記第１出力選択部は、受信した現用系拡散信号を前記第３加算合成部へ送出し、
前記第２加算合成部は、前記止まり木チャネル生成部からの止まり木チャネルと前記予備系拡散部からの予備系拡散信号とを加算し、加算された止まり木チャネルと予備系拡散信号を前記第２出力選択部へ送出し、
前記第２出力選択部は、受信した止まり木チャネルと予備系拡散信号を前記第３加算合成部へ送出するのを停止し、
前記第３加算合成部は、前記第１出力選択部からの現用系拡散信号のみを前記無線送信処理部へ送出し、
前記無線送信処理部は、前記０系（１系）拡散処理部の第３加算合成部からの止まり木チャネルと現用系拡散信号と、前記１系（０系）拡散処理部の第３加算合成部とからの現用系拡散信号とを無線信号に変換しアンテナへ送信することを特徴とする。
【００１３】
さらに、本発明のＣＤＭＡ無線基地局装置は、正常に動作していた前記０系拡散処理部と前記１系拡散処理部とのうちの、前記０系（１系）拡散処理部の前記警報検出通知部は、前記０系（１系）拡散処理部の障害を検出すると、切替制御信号を、前記０系拡散処理部と前記１系拡散処理部の前記出力制御部へ送り、
前記０系（１系）拡散処理部の前記出力制御部は、前記警報検出通知部から切替制御信号を受信すると、前記０系（１系）拡散処理部の前記第１出力選択部の出力を停止するよう制御し、
前記０系（１系）拡散処理部の前記第１出力選択部は、出力を停止し、
前記０系（１系）拡散処理部は、前記無線送信処理部へ全ての信号を送出するのを停止し、
前記１系（０系）拡散処理部の前記出力制御部は、前記警報検出通知部から切替制御信号を受信すると、前記１系（０系）拡散処理部の前記第２出力選択部の出力を許可するよう制御し、
前記１系（０系）拡散処理部の前記第２出力選択部は、前記出力制御部の制御により、前記１系（０系）拡散処理部の前記第２加算合成部からの、止まり木チャネルと予備系拡散信号とを、前記１系（０系）拡散処理部の前記第３加算合成部へ送出し、
前記１系（０系）拡散処理部の前記第３加算合成部は、既に入力され続けている、前記第１加算合成部からの現用系拡散信号と、前記第２加算合成部からの止まり木チャネルと予備系拡散信号とを加算し、加算された止まり木チャネルと現用系拡散信号と予備系拡散信号を前記無線送信処理部へ送出し、
前記無線送信処理部は、前記１系（０系）拡散処理部からの止まり木チャネルと現用系拡散信号と予備系拡散信号を無線信号に変換しアンテナへ送信することを特徴とする。
【００１４】
また、本発明のＣＤＭＡ無線基地局装置は、正常に動作していた前記０系拡散処理部と前記１系拡散処理部とのうちの、前記０系（１系）拡散処理部の前記警報検出通知部は、障害を検出すると、障害情報を、前記０系拡散処理部と前記１系拡散処理部の各々の主制御部に送り、
前記０系（１系）拡散処理部の主制御部は、障害情報を受けると、前記０系（１系）拡散処理部の前記第１出力選択部の出力を停止する第１タイミングを有する第１タイミング付切替制御信号を生成し、この第１タイミング付切替制御信号を前記０系（１系）拡散処理部の前記出力制御部へ送り、
前記１系（０系）拡散処理部の主制御部は、障害情報を受けると、前記１系（０系）拡散処理部の前記第２出力選択部の出力を許可する第２タイミングを有する第２タイミング付切替制御信号を生成し、この第２タイミング付切替制御信号を前記１系（０系）拡散処理部の前記出力制御部へ送り、
前記０系（１系）拡散処理部の前記出力制御部は、前記主制御部から第１タイミング付切替制御信号を受信すると、前記０系（１系）拡散処理部の前記第１出力選択部の出力を、第１タイミングで停止するよう制御し、
前記０系（１系）拡散処理部の前記第１出力選択部は、第１タイミングで出力を停止し、
前記０系（１系）拡散処理部は、前記無線送信処理部へ全ての信号を第１タイミングで送出するのを停止し、
前記１系（０系）拡散処理部の前記出力制御部は、前記主制御部から第２タイミング付切替制御信号を受信すると、前記１系（０系）拡散処理部の前記第２出力選択部の出力を第２タイミングで許可するよう制御し、
前記１系（０系）拡散処理部の前記第２出力選択部は、前記出力制御部の制御により、前記１系（０系）拡散処理部の前記第２加算合成部からの、止まり木チャネルと予備系拡散信号とを、第２タイミングで前記１系（０系）拡散処理部の前記第３加算合成部へ送出し、
前記１系（０系）拡散処理部の前記第３加算合成部は、既に入力され続けている、前記第１加算合成部からの現用系拡散信号と、前記第２加算合成部からの止まり木チャネルと予備系拡散信号とを加算し、加算された止まり木チャネルと現用系拡散信号と予備系拡散信号を前記無線送信処理部へ送出し、
前記無線送信処理部は、前記１系（０系）拡散処理部からの止まり木チャネルと現用系拡散信号と予備系拡散信号を無線信号に変換しアンテナへ送信することを特徴とする。
【００１５】
さらに、本発明のＣＤＭＡ無線基地局装置は、前記主制御部は、前記０系（１系）拡散処理部からの前記無線送信処理部への入力が断する断時刻と、前記１系（０系）拡散処理部からの止まり木チャネルと現用系拡散信号と予備系拡散信号とが前記無線送信処理部への入力が開始する開始時刻とが一致するよう、前記第１タイミング付切替制御信号の第１タイミングと前記第２タイミング付切替制御信号の第２タイミングとを設定することを特徴とする。
【００１６】
【発明の実施の形態】
次に、本発明の実施の形態について図面を参照して詳細に説明する。
【００１７】
図１は、本発明の第１実施形態によるＣＤＭＡ無線基地局装置の送信装置の構成ブロック図で、図２は、送信装置の詳細構成ブロック図である。
【００１８】
図１を参照して、本発明による第１実施形態のＣＤＭＡ（Ｃｏｄｅ  Ｄｉｖｉｓｉｏｎ  Ｍｕｌｔｉｐｌｅ  Ａｃｃｅｓｓ、符号分割多元接続）無線基地局装置の送信装置は、呼処理・監視制御回路１と、符号化処理回路２ａ、２ｂと、０系拡散処理部３ａと、１系拡散処理部３ｂと、無線送信処理回路４と、アンテナ５とを有して構成される。
【００１９】
０系拡散処理部３ａと１系拡散処理部３ｂとは、同一に構成され、０系拡散処理部３ａと１系拡散処理部３ｂとで二重化構成されている。
【００２０】
図２を参照して、構成の詳細を説明する。
【００２１】
呼処理・監視制御回路１は、ＣＤＭＡ無線基地局装置の状態監視と制御、チャネルのリソース管理、発着信号制御に関する制御呼の接続を行うもので、制御バス６を介して、符号化処理回路２ａ、２ｂと、０系拡散処理部３ａ、１系拡散処理部３ｂとへ符号化処理情報を送る。
【００２２】
符号化処理回路２ａ、２ｂの各々は、送信ベースバンド信号生成部２１ａ、２１ｂの各々を有し、時分割多重部２２ａ、２２ｂの各々を有し、通信バス７により、相互に接続されている。
【００２３】
そして、符号化処理回路２ａ、２ｂの各々が、呼処理・監視制御回路１から符号化処理情報を受信すると、送信ベースバンド信号生成部２１ａ、２１ｂの各々は、送信ベースバンド信号を生成する。
【００２４】
時分割多重部２２ａ、２２ｂの各々は、通信バス7を介して、各々の送信ベースバンド信号を互いに送受信し、相手側符号化処理回路から受信した送信ベースバンド信号と自符号化処理回路による送信ベースバンド信号とを時分割多重して時分割多重送信ベースバンド信号を生成し、この時分割多重送信ベースバンド信号を、接続されている０系拡散処理部３ａあるいは１系拡散処理部３ｂへ送る。
【００２５】
０系拡散処理部３ａと１系拡散処理部３ｂは、スペクトラム拡散処理を行い、スペクトラム拡散処理による拡散信号を無線送信処理回路４へ送信するもので、相互に切替制御バス８により接続され二重化構成されている。
【００２６】
無線送信処理回路４は、０系拡散処理部３ａと１系拡散処理部３ｂとから拡散信号を受信し、これらの拡散信号を、合成加算し、直交変調し、無線周波数変換し、送信電力制御を行い、無線送信信号を生成し、この無線送信信号をアンテナ５へ送出する。
【００２７】
アンテナ５は、入力された無線送信信号を放射送出する。
【００２８】
０系拡散処理部３ａと１系拡散処理部３ｂの構成を，さらに、詳細に説明する。
【００２９】
０系拡散処理部３ａと１系拡散処理部３ｂの各々は、データ分離部３０１と、現用系拡散処理回路３０２と、予備系拡散処理回路３０３と、止まり木チャネル生成回路３０４と、加算合成器３０５ａ、３０５ｂと、出力選択部３０６ａ、３０６ｂと、止まり木チャネル出力選択切替部３１１と、加算器３０７と、ＣＰＵ（主制御部）３０８と、警報検出回路３０９と、出力制御部３１０とを有して構成される。
【００３０】
データ分離部３０１は、符号化処理回路２から受信された時分割多重送信ベースバンド信号を、個別チャネルに分離するとともに、個別チャネル毎のデータ速度に応じたデータに変換し、自拡散処理部に接続された符号化処理回路より生成された個別チャネルデータを現用系拡散処理回路３０２に出力し、相手側符号化処理回路で生成され、通信バス７により自拡散処理部に接続された符号化処理回路へ入力された個別チャネルデータを予備系拡散処理回路３０３へ出力する。
【００３１】
現用系拡散処理回路３０２と予備系拡散処理回路３０３の各々は、データ分離部３０１から、個別チャネル毎に分離された複数のチャネルデータを受信し、受信された複数のチャネルデータを拡散変調して、チャネル毎の拡散信号を生成し、生成されたチャネル毎の拡散信号を全てのチャネルに亘って合成し現用系拡散合成信号と予備系合成拡散信号を得、これらの現用系拡散合成信号と予備系合成拡散信号を加算合成器３０５ａ、３０５ｂへ送る。
【００３２】
止まり木チャネル生成回路３０４は、止まり木チャネルＳＣＨ（Ｓｙｎｃｈｒｏｎｉｓａｔｉｏｎ  Ｃｈａｎｎｅｌ）を設定するためのメモリを有し、ＣＰＵ３０８からの指示により、止まり木チャネルＳＣＨをメモリに設定して生成し、生成された止まり木チャネルＳＣＨを、出力選択部３０６ｃへ送信する。
【００３３】
止まり木チャネル出力選択切替部３１１は、ＣＰＵ３０８により予め制御され、加算合成器３０５ａと３０５ｂとのうちのいずれかの加算合成器へ止まり木チャネルＳＣＨを送る。いずれの加算合成器へ止まり木チャネルＳＣＨを送るかは、運用中に変更されることはないものとする。
【００３４】
加算合成器３０５ａ、３０５ｂは、現用系拡散処理回路３０２と予備系拡散処理回路３０３より出力されたチャネル毎の送信拡散信号、ならびに、止まり木チャネル生成回路３０４より生成された止まり木チャネルＳＣＨを現用系毎、予備系毎に全て加算して合成拡散信号を生成し、生成された合成拡散信号の各々を、出力選択３０６ａと３０６ｂのそれぞれに送る。
【００３５】
出力選択部３０６ａ、３０６ｂは、出力制御部３１０からの切替制御信号により合成拡散信号の出力または出力停止を行う。
【００３６】
加算器３０７は、出力選択部３０６ａ、３０６ｂからの各々の合成拡散信号を加算し、加算された合成拡散信号を無線送信処理回路４へ送る。
【００３７】
警報検出回路３０９は、０系拡散処理部３ａと１系拡散処理部３ｂとの出力制御部３１０へ切替制御信号を送る。
【００３８】
出力制御部３１０は、警報検出回路３０９から切替制御信号を受信して、出力選択部３０６ａ、３０６ｂを、出力状態から出力停止状態へ、あるいは、出力停止状態から出力状態へと切替制御する。
【００３９】
ＣＰＵ３０８は、呼処理・監視制御回路１と制御バス６で接続され、拡散処理情報と止まり木チャネル生成情報により、データ分離部３０１と現用系拡散処理回路３０２と予備系拡散処理回路３０３と止まり木チャネル生成回路３０４と出力制御部３３１０をソフトウェアにて制御する。
【００４０】
次に、本発明の実施形態の動作について図面を参照して詳細に説明する。
【００４１】
図３は、正常動作時の動作を説明するための図で、図４は、障害時時の動作を説明するための図で、図５は、動作タイムチャートである。
【００４２】
図３と図４と図５を主体に、図１と図２を併せ参照して、動作を説明する。
【００４３】
図１のＣＤＭＡ無線基地局装置の送信装置において、０系拡散処理部３ａにおいて止まり木チャネル生成回路３０４より止まり木チャネルＳＣＨを生成し送信する場合の正常動作について説明する。
【００４４】
正常動作時の動作を、図３を参照して説明する。
【００４５】
呼処理・監視制御回路１は、符号化処理情報を符号化処理回路２ａ、２ｂと０系拡散処理部３ａと１系拡散処理部３ｂとへ送る。同時に、呼処理・監視制御回路１は、止まり木チャネルＳＣＨを生成するための止まり木チャネル生成情報を、０系拡散処理部３ａと１系拡散処理部３ｂとへを送る。
【００４６】
符号化処理回路２ａ、２ｂが、呼処理・監視制御回路１からの符号化処理情報を受けると、符号化処理回路２ａの送信ベースバンド信号生成部２１ａは、送信ベースバンド信号Ｓａを生成し、この送信ベースバンド信号Ｓａを、時分割多重部２２ａと、符号化処理回路２ｂの時分割多重部２２ｂとへ送り、そして、符号化処理回路２ｂの送信ベースバンド信号生成部２１ｂは、送信ベースバンド信号Ｓｂを生成し、この送信ベースバンド信号Ｓｂを、時分割多重部２２ｂと、符号化処理回路２ａの時分割多重部２２ａとへ送る。
【００４７】
符号化処理回路２ａの時分割多重部２２ａは、送信ベースバンド信号生成部２１ａから受信した送信ベースバンド信号Ｓａと、送信ベースバンド信号生成部２１ｂから受信した送信ベースバンド信号Ｓｂとを時分割多重して時分割多重送信ベースバンド信号ＴＢＳａを生成し、この時分割多重送信ベースバンド信号ＴＢＳａを０系拡散処理部３ａへ送る。
【００４８】
一方、符号化処理回路２ｂの時分割多重部２２ｂは、送信ベースバンド信号生成部２１ａから受信した送信ベースバンド信号Ｓａと、送信ベースバンド信号生成部２１ｂから受信した送信ベースバンド信号Ｓｂとを時分割多重して時分割多重送信ベースバンド信号ＴＢＳｂを生成し、この時分割多重送信ベースバンド信号ＴＢＳｂを１系拡散処理部３ｂへ送る。
【００４９】
このとき、時分割多重送信ベースバンド信号ＴＢＳａと時分割多重送信ベースバンド信号ＴＢＳｂとは同一内容の時分割多重送信ベースバンド信号ＴＢＳである。
【００５０】
０系拡散処理部３ａと１系拡散処理部３ｂとの動作を説明する。
【００５１】
０系拡散処理部３ａと１系拡散処理部３ｂとにおける止まり木チャネル出力選択切替部３１１と出力選択部３０６ａ、３０６ｂとは、ＣＰＵ３０８と出力制御部３１０により、運用開始前に、図５に示すように、その出力状態が設定されている。すなわち、０系拡散処理部３ａにおいては、止まり木チャネル出力選択切替部３１１は、止まり木チャネルＳＣＨを加算合成器３０５ａに出力するよう設定され、出力選択部３０６ａは、出力状態に設定され、出力選択部３０６ｂは、出力停止状態に設定されている。
【００５２】
一方、１系拡散処理部３ｂにおいては、止まり木チャネル出力選択切替部３１１は、止まり木チャネルＳＣＨを加算合成器３０５ｂに出力するよう設定され、出力選択部３０６ａは、出力状態に設定され、出力選択部３０６ｂは、出力停止状態に設定されている。
【００５３】
まず、０系拡散処理部３ａの動作を説明する。
【００５４】
止まり木チャネル出力選択切替部３１１と出力選択部３０６ａと出力選択部３０６ｂとが上述にように設定された０系拡散処理部３ａが、呼処理・監視制御回路１から拡散処理情報を受けると、０系拡散処理部３ａのデータ分離部３０１は、符号化処理回路２ａからの時分割多重送信ベースバンド信号ＴＢＳａ（ＴＢＳ）を、送信ベースバンド信号Ｓａと送信ベースバンド信号Ｓｂとに時分割分離する。さらに、データ分離部３０１は、時分割分離により得られた送信ベースバンド信号Ｓａをユーザ毎の個別チャネルに分離し、個別チャネル毎のデータ速度に応じた個別チャネルデータＣＨＤａに変換し、これらの個別チャネルデータＣＨＤａを現用系拡散処理回路３０２に送る。同時に、データ分離部３０１は、時分割分離により得られた送信ベースバンド信号Ｓｂをユーザ毎の個別チャネルに分離し、個別チャネル毎のデータ速度に応じた個別チャネルデータＣＨＤｂに変換し、これらの個別チャネルデータＣＨＤｂを予備系拡散処理回路３０３に送る。つまり、符号化処理回路２ａが生成した送信ベースバンド信号Ｓａは、現用系拡散処理回路３０２に入力され、一方、符号化処理回路２ｂが生成した送信ベースバンド信号Ｓｂは、予備系拡散処理回路３０３に入力される。
【００５５】
現用系拡散処理回路３０２は、データ分離部３０１から個別チャネルデータＣＨＤａを受けると、チャネル毎に、この個別チャネルデータＣＨＤａを拡散処理して拡散信号を得、さらに、これらのチャネル毎の拡散信号を、全てのチャネルに亘って合成し現用系合成拡散信号ＳＳ００を生成し、この現用系合成拡散信号ＳＳ００を加算合成器３０５ａに送る。
【００５６】
一方、予備系拡散処理回路３０３は、データ分離部３０１から個別チャネルデータＣＨＤｂを受けると、チャネル毎に、この個別チャネルデータＣＨＤｂを拡散処理し拡散信号を得、さらに、これらのチャネル毎の拡散信号を合成して予備系合成拡散信号ＳＳ０１を生成し、この予備系合成拡散信号ＳＳ０１を加算合成器３０５ｂに送る。
【００５７】
次に、止まり木チャネルＳＣＨを生成するため、拡散処理部３ａのＣＰＵ３０８は、呼処理・監視制御回路１から止まり木チャネル生成情報を受けると、この止まり木チャネル生成情報に基づいて、止まり木チャネル生成回路３０４の内部メモリに止まり木チャネルＳＣＨを生成し設定する。
【００５８】
止まり木チャネル生成回路３０４は、生成された止まり木チャネルＳＣＨを止まり木チャネル出力選択切替部３１１へ送る。
【００５９】
拡散処理部３ａの止まり木チャネル出力選択切替部３１１は、ＣＰＵ３０８からの指示により既に出力選択されているで、受信した止まり木チャネルＳＣＨを、加算合成器３０５ａのみに送り、加算合成器３０５ｂには送らない。
【００６０】
加算合成器３０５ａは、止まり木チャネル出力選択切替部３１１から受信した止まり木チャネルＳＣＨと現用系拡散処理回路３０２からの現用系合成拡散信号ＳＳ００とを加算し、加算された止まり木チャネルＳＣＨと現用系合成拡散信号ＳＳ００を出力選択部３０６ａへ送る。
【００６１】
出力制御部３１０により既に出力状態に設定されている出力選択部３０６ａは、加算された止まり木チャネルＳＣＨと現用系合成拡散信号ＳＳ００を受信すると、この加算された止まり木チャネルＳＣＨと現用系合成拡散信号ＳＳ００を加算器３０７へ送る。
【００６２】
一方、加算合成器３０５ｂは、止まり木チャネル出力選択切替部３１１が止まり木チャネルＳＣＨを加算合成器３０５ｂへ送信しないよう設定されているため、予備系拡散処理回路３０３から予備系合成拡散信号ＳＳ０１のみを受信し、この予備系合成拡散信号ＳＳ０１を出力選択部３０６ｂへ送る。
【００６３】
出力選択部３０６ｂは、出力制御部３１０により既に出力停止状態に設定されているので、加算合成器３０５ｂからの予備系合成拡散信号ＳＳ０１を加算器３０７へ送らない。
【００６４】
加算器３０７は、出力選択部３０６ａからの止まり木チャネルＳＣＨと現用系合成拡散信号ＳＳ００とを、無線送信処理回路４へ送る。
【００６５】
次に、１系拡散処理部３ｂの動作を説明する。
【００６６】
止まり木チャネル出力選択切替部３１１が止まり木チャネルＳＣＨを加算合成器３０５ｂに出力するよう設定され、出力選択部３０６ａが出力状態に設定され、出力選択部３０６ｂが出力停止状態に設定されている１系拡散処理部３ｂが、呼処理・監視制御回路１から拡散処理情報を受けると、１系拡散処理部３ｂのデータ分離部３０１は、符号化処理回路２ａからの時分割多重送信ベースバンド信号ＴＢＳａ（ＴＢＳ）を、送信ベースバンド信号Ｓａと送信ベースバンド信号Ｓｂとに時分割分離する。さらに、データ分離部３０１は、時分割分離により得られた送信ベースバンド信号Ｓａをユーザ毎の個別チャネルに分離し、個別チャネル毎のデータ速度に応じた個別チャネルデータＣＨＤａに変換し、これらの個別チャネルデータＣＨＤａを現用系拡散処理回路３０２に送る。同時に、データ分離部３０１は、時分割分離により得られた送信ベースバンド信号Ｓｂをユーザ毎の個別チャネルに分離し、個別チャネル毎のデータ速度に応じた個別チャネルデータＣＨＤｂに変換し、これらの個別チャネルデータＣＨＤｂを予備系拡散処理回路３０３に送る。つまり、符号化処理回路２ａが生成した送信ベースバンド信号Ｓａは、現用系拡散処理回路３０２に入力され、一方、符号化処理回路２ｂが生成した送信ベースバンド信号Ｓｂは、予備系拡散処理回路３０３に入力される。
【００６７】
現用系拡散処理回路３０２は、データ分離部３０１から個別チャネルデータＣＨＤａを受けると、チャネル毎に、この個別チャネルデータＣＨＤａを拡散処理して拡散信号を得、さらに、これらのチャネル毎の拡散信号を、全てのチャネルに亘って合成し現用系合成拡散信号ＳＳ１０を生成し、この現用系合成拡散信号ＳＳ１０を加算合成器３０５ａに送る。ここで、現用系合成拡散信号ＳＳ１０と０系拡散処理部３ａが生成した現用系合成拡散信号ＳＳ００とは、同一内容である。
【００６８】
一方、予備系拡散処理回路３０３は、データ分離部３０１から個別チャネルデータＣＨＤｂを受けると、チャネル毎に、この個別チャネルデータＣＨＤｂを拡散処理し拡散信号を得、さらに、これらのチャネル毎の拡散信号を合成して予備系合成拡散信号ＳＳ１１を生成し、この予備系合成拡散信号ＳＳ１１を加算合成器３０５ｂに送る。ここで、予備系合成拡散信号ＳＳ１１は、０系拡散処理部３ａが生成した予備系合成拡散信号ＳＳ０１とは、同一内容である。
【００６９】
次に、止まり木チャネルＳＣＨを生成するため、拡散処理部３ｂのＣＰＵ３０８は、呼処理・監視制御回路１から止まり木チャネル生成情報を受けると、この止まり木チャネル生成情報に基づいて、止まり木チャネル生成回路３０４の内部メモリに止まり木チャネルＳＣＨを生成し設定する。ここで、拡散処理部３ｂの止まり木チャネル生成回路３０４が生成した止まり木チャネルＳＣＨと拡散処理部３ａの止まり木チャネル生成回路３０４が生成した止まり木チャネルＳＣＨとは、同一内容である。
【００７０】
止まり木チャネル生成回路３０４は、生成された止まり木チャネルＳＣＨを止まり木チャネル出力選択切替部３１１へ送る。
【００７１】
拡散処理部３ｂの止まり木チャネル出力選択切替部３１１は、ＣＰＵ３０８からの指示により、受信した止まり木チャネルＳＣＨを加算合成器３０５ｂに送るよう切替選択されているので、止まり木チャネル生成回路３０４からの止まり木チャネルＳＣＨを、加算合成器３０５ｂにのみ送り、加算合成器３０５ａには送らない。
【００７２】
加算合成器３０５ａは、現用系拡散処理回路３０２から現用系合成拡散信号ＳＳ１０を受けると、なにもしないで、この現用系合成拡散信号ＳＳ１０を出力選択部３０６ａへ送る。
【００７３】
出力制御部３１０により既に出力状態に設定されている出力選択部３０６ａは、加算合成器３０５ａから現用系合成拡散信号ＳＳ１０を受信すると、この現用系合成拡散信号ＳＳ１０を加算器３０７へ送る。
【００７４】
一方、加算合成器３０５ｂは、止まり木チャネル出力選択切替部３１１から受信した止まり木チャネルＳＣＨと予備系拡散処理回路３０３からの予備系合成拡散信号ＳＳ１１とを加算し、加算された止まり木チャネルＳＣＨと予備系合成拡散信号ＳＳ１１を出力選択部３０６ｂへ送る。
【００７５】
出力制御部３１０により既に出力停止状態に設定されている出力選択部３０６ｂは、加算された止まり木チャネルＳＣＨと予備系合成拡散信号ＳＳ１１を受信しても、この加算された止まり木チャネルＳＣＨと予備系合成拡散信号ＳＳ１１を加算器３０７へは送らない。
【００７６】
加算器３０７は、出力選択部３０６ａからの現用系合成拡散信号ＳＳ１０を無線送信処理回路４へ送る。
【００７７】
無線送信処理回路４は、０系拡散処理部３ａからの止まり木チャネルＳＣＨと現用系合成拡散信号ＳＳ００とを受信し、そして、１系拡散処理部３ｂからの現用系合成拡散信号ＳＳ１０とを受信し、受信された止まり木チャネルＳＣＨと現用系合成拡散信号ＳＳ００と現用系合成拡散信号ＳＳ１０とを、合成加算し、直交変調し、無線周波数変換し、送信電力制御を行い、無線送信信号を生成し、この無線送信信号をアンテナ５へ送出する。
【００７８】
次に、障害が発生した場合の動作について説明する。
【００７９】
障害時の動作を、図４を参照して説明する。
【００８０】
０系拡散処理部３ａと１系拡散処理部３ｂとが、以上に述べた正常動作しているときに、図５の動作タイムチャートが示すように、時間ｔ０で０系拡散処理部３ａに障害が発生したとする。
【００８１】
０系拡散処理部３ａの警報検出回路３０９は、０系拡散処理部３ａに障害が発生したことを検出すると、切替制御信号を、０系拡散処理部３ａの出力制御部３１０と１系拡散処理部３ｂの出力制御部３１０とへ送る。
【００８２】
０系拡散処理部３ａの出力制御部３１０は、警報検出回路３０９からの切替制御信号を受けると、０系拡散処理部３ａの出力を停止するため、出力停止信号を０系拡散処理部３ａの出力選択部３０６ａへ送る。
【００８３】
０系拡散処理部３ａの出力選択部３０６ａは、出力停止信号を受けると、図５に示すように、時間ｔ１で、出力を停止する出力停止状態になり、なんの信号をも無線送信処理回路４へ送らない。このとき、出力選択部３０６ｂは、運用開始時の設定で、既に、出力停止状態になっている。
【００８４】
０系拡散処理部３ａの出力選択部３０６ａが、時間ｔ１で、出力停止状態に設定されても、時間ｔ１以前の、時間ｔ０と時間ｔ１間で、出力選択部３０６ａにより送信された止まり木チャネルＳＣＨと現用系合成拡散信号ＳＳ００とは、無線送信処理回路４への伝送中である。よって、無線送信処理回路４への入力が全く無くなるのは、図５に示すように、伝送遅延による伝送遅延時間ｔｄ後の時間ｔ３である。
【００８５】
一方、１系拡散処理部３ｂの出力制御部３１０は、０系拡散処理部３ａの警報検出回路３０９から切替制御信号を受けると、出力許可信号を１系拡散処理部３ｂの出力選択部３０６ｂへ送る。
【００８６】
１系拡散処理部３ｂの出力選択部３０６ｂは、出力許可信号を受けると、図５に示すように、時間ｔ２で、今まで設定されていた出力停止状態から、出力状態になる。ここで、時間ｔ２は、０系拡散処理部３ａの出力選択部３０６ａが出力状態から出力停止状態へ変化する時間ｔ１より、差分遅延時間ｔｓだけ遅れる。この差分遅延時間ｔｓは、０系拡散処理部３ａの警報検出回路３０９からの切替制御信号の、１系拡散処理部３ｂの出力制御部３１０への到達時間が、０系拡散処理部３ａの出力制御部３１０への到達時間よりも、伝送路長の差分だけ遅れることに起因する。
【００８７】
１系拡散処理部３ｂの出力選択部３０６ｂは、時間ｔ２で、出力状態になると、今まで送るのを停止していた、止まり木チャネルＳＣＨと予備系合成拡散信号ＳＳ１１とを、加算器３０７へ送る。
【００８８】
一方、１系拡散処理部３ｂの出力選択部３０６ａは、０系拡散処理部３ａに障害が発生した時間ｔ０の前後に亘って、現用系合成拡散信号ＳＳ１０を加算器３０７へ送り続けている。
【００８９】
加算器３０７は、出力選択部３０６ａから現用系合成拡散信号ＳＳ１０を受信し、そして、出力選択部３０６ｂから止まり木チャネルＳＣＨと予備系合成拡散信号ＳＳ１１を受信すると、止まり木チャネルＳＣＨと現用系合成拡散信号ＳＳ１０と予備系合成拡散信号ＳＳ１１とを加算して無線送信処理回路４へ送る。これらの、止まり木チャネルＳＣＨと現用系合成拡散信号ＳＳ１０と予備系合成拡散信号ＳＳ１１とは、１系拡散処理部３ｂの出力選択部３０６ｂが出力状態になる時間ｔ２より伝送遅延時間ｔｄだけ遅延した時間ｔ４に、無線送信処理回路４へ入力される。
【００９０】
つまり、図５に示すように、時間ｔ３で、０系拡散処理部３ａからの無線送信処理回路４への入力が無くなり、時間ｔ３より差分遅延時間ｔｓだけ遅れた時間ｔ４で、１系拡散処理部３ｂからの止まり木チャネルＳＣＨと予備系合成拡散信号ＳＳ１１が、現用系合成拡散信号ＳＳ１０とともに、無線送信処理回路４へ入力される。
【００９１】
結局、０系拡散処理部３ａが、警報検出回路３０９で障害を検出し、合成拡散信号を送信するのを断してから、１系拡散処理部３ｂが予備系拡散信号ならびに止まり木チャネルＳＣＨを送信するまでの瞬断時間は、切替制御信号が切替制御バス８を通じて拡散処理部３ｂの出力制御部３１０へ入力されるまでの時間と拡散処理部３ａの出力制御部３１０へ入力されるまでの時間の差分である差分遅延時間ｔｓのみに依存する。
【００９２】
以上述べたように、０系拡散処理部３ａの障害発生により、１系拡散処理部３ｂは、１系拡散処理部３ｂが生成した現用系合成拡散信号ＳＳ１０と、障害が発生しなければ１系拡散処理部３ａが生成するはずの、予備系系合成拡散信号ＳＳ０１と止まり木チャネルＳＣＨとに代わり、１系拡散処理部３ｂが生成する予備系合成拡散信号ＳＳ１１と止まり木チャネルＳＣＨとを、加算器３０７で加算して、無線送信処理回路４へ入力する。
【００９３】
よって、正常に動作している０系拡散処理部３ａと１系拡散処理部３ｂとの両者が生成する所望の合成拡散信号は、１系拡散処理部３ｂのみで生成されることになる。
【００９４】
以上のように、本実施形態は、障害が発生した場合、止まり木チャネルＳＣＨ生成状態を呼処理・監視制御回路１で監視する必要がないため、ＣＰＵ３０８におけるソフトウェアによる止まり木チャネルＳＣＨの再生成処理と切替処理を必要とせず、ハードウェアのみによる瞬時の切替が可能となる。
【００９５】
次に、第２実施形態を説明する。
【００９６】
第２実施形態の構成は、図１の第１実施形態の構成と同一であるが、第２実施形態におけるＣＰＵ３０８と警報検出回路３０９と出力制御部３１０とは、第１実施形態におけるＣＰＵ３０８と警報検出回路３０９とＣＰＵ３０８と出力制御部３１０との機能に加えて、更なる機能を有している。よって、これらの更なる機能に関することのみを説明する。
【００９７】
０系拡散処理部３ａと１系拡散処理部３ｂの各々の警報検出回路３０９は、自拡散処理部での障害の発生を検出し、障害情報を自拡散処理部のＣＰＵ３０８へ送るとともに、第１実施形態で説明したように、０系拡散処理部３ａと１系拡散処理部３ｂの各々の出力制御部３１０へ切替制御信号を送る。
【００９８】
ＣＰＵ３０８は、警報検出回路３０９から障害情報を受信し、この障害情報を、障害が発生していない拡散処理部のＣＰＵ３０８へ送る。そして、０系拡散処理部３ａと１系拡散処理部３ｂの各々のＣＰＵ３０８は、出力選択部３０６の出力状態を切替えるタイミングである切替タイミングTｇを決め、この切替タイミングTｇを有するタイミング付切替制御信号を生成し、このタイミング付切替制御信号を、０系拡散処理部３ａと１系拡散処理部３ｂの各々の出力制御部３１０へ送る。
【００９９】
出力制御部３１０は、ＣＰＵ３０８からのタイミング付切替制御信号と警報検出回路３０９からの切替制御信号とのうちのいずれかを選択して受信する制御信号選択部３１５を有する。そして、制御信号選択部３１５がＣＰＵ３０８からのタイミング付切替制御信号を選択して受信するとき、出力制御部３１０は、切替タイミングTｇで、出力選択部３０６を、出力状態から出力停止状態に、あるいは、出力停止状態から出力状態に制御する。一方、制御信号選択部３１５が警報検出回路３０９からの切替制御信号を選択して受信するとき、出力制御部３１０は、第１実施形態で説明したように、出力選択部３０６を制御する。
【０１００】
次に、第２実施形態において障害が発生したときの動作を説明する。
【０１０１】
０系拡散処理部３ａと１系拡散処理部３ｂとが正常動作しているときに、０系拡散処理部３ａに障害が発生したとする。
【０１０２】
０系拡散処理部３ａの警報検出回路３０９は、０系拡散処理部３ａに障害が発生したことを検出すると、障害情報を、０系拡散処理部３ａのＣＰＵ３０８へ送るとともに、第１実施形態で説明したように、０系拡散処理部３ａと１系拡散処理部３ｂの各々の出力制御部３１０へ切替制御信号を送る。
【０１０３】
０系拡散処理部３ａのＣＰＵ３０８は、警報検出回路３０９から障害情報を受けると、受信された障害情報を、切替制御バス８を介して、１系拡散処理部３ｂのＣＰＵ３０８へ送るとともに、切替タイミングTｇを有するタイミング付切替制御信号を、０系拡散処理部３ａの出力制御部３１０へ送る。
【０１０４】
０系拡散処理部３ａの出力制御部３１０は、タイミング付切替制御信号を選択して受信するように設定されていると、０系拡散処理部３ａのＣＰＵ３０８からのタイミング付切替制御信号を受信し、このタイミング付切替制御信号に含まれる切替タイミングTｇで、出力選択部３０６ａを、出力状態から出力停止状態に制御する。
【０１０５】
一方、１系拡散処理部３ｂのＣＰＵ３０８は、０系拡散処理部３ａのＣＰＵ３０８から障害情報を受けると、同じ切替タイミングTｇを有するタイミング付切替制御信号を、１系拡散処理部３ｂの出力制御部３１０へ送る。
【０１０６】
１系拡散処理部３ｂの出力制御部３１０は、タイミング付切替制御信号を選択して受信するように設定されていると、タイミング付切替制御信号を受信し、このタイミング付切替制御信号に含まれる切替タイミングTｇで、出力選択部３０６ｂを、出力停止状態から出力状態に制御する。
【０１０７】
以上により、出力停止と出力許可とを同時に実行することが可能となる。これより、保守のため一方の拡散処理部からの出力を停止する必要があるとき、ソフトウェアによりＣＰＵ３０８を制御し、特定のタイミングで出力と出力停止を制御する同時切替を行うことが出来るので、断時間のない切替が可能となる。
【０１０８】
【発明の効果】
以上説明したように、本発明は、止まり木チャネルＳＣＨの送信先の選択切替えを制御し、障害発生時に障害発生側拡散処理部で生成されていた止まり木チャネルＳＣＨを、正常動作している拡散処理部でソフトウェアにより生成する必要がなく、復旧までの切替をハードウェアで瞬時に行えるよう構成されているので、復旧に要する時間を短縮できるという効果がある。
【０１０９】
また、本発明は、二重化された拡散処理部のうちのいずれの拡散処理部が止まり木チャネルＳＣＨを生成したかをソフトウェアで監視する必要がないよう構成されているので、ソフトウェアによる処理時間が節約でき、二重化された拡散処理部間の切り替えの時間を短縮できるという効果がある。
【０１１０】
さらに、本発明は、二重化された拡散処理部の各々の拡散処理部が、さらに、現用系合成拡散処理系と予備系合成拡散処理系とにより二重化構成され、これらの現用系合成拡散処理系と予備系合成拡散処理系とからの各々の出力を利用して障害時に対処する構成であるので、拡散処理部の切り替えのために発生する瞬断時間が、切替制御信号が各々の拡散処理部へ到達するまでの時間の差分のみであり、瞬断時間を少なくして障害から復旧できるという効果がある。
【０１１１】
またさらに、本発明は、二重化された拡散処理部の切替を同時に行うよう構成されているので、断時間のない切替が可能であるという効果がある。
【図面の簡単な説明】
【図１】本発明の第１実施形態によるＣＤＭＡ無線基地局装置の送信装置の構成ブロック図である。
【図２】送信装置の詳細構成ブロック図である。
【図３】正常動作時の動作を説明するための図である。
【図４】障害時の動作を説明するための図である。
【図５】動作タイムチャートである。
【図６】本発明の第２実施形態によるＣＤＭＡ無線基地局装置の送信装置の構成ブロック図である。
【符号の説明】
１    呼処理・監視制御回路
２ａ、２ｂ    符号化処理回路
３ａ    ０系拡散処理部
３ｂ    １系拡散処理部
４    無線送信処理回路
５    アンテナ
３０１    データ分離部
３０２    現用系拡散処理回路
３０３    予備系拡散処理回路
３０４    止まり木チャネル生成回路
３０５ａ、３０５ｂ    加算合成器
３０６ａ、３０６ｂ    出力選択部
３０７    加算器
３０８    ＣＰＵ
３０９    警報検出回路
３１０    出力制御部
３１１    止まり木チャネル出力選択切替部
【図１】
0003539395.tif 000002
【図２】
0003539395.tif 000003
【図３】
0003539395.tif 000004
【図４】
0003539395.tif 000005
【図５】
0003539395.tif 000006
【図６】
0003539395.tif 000007